(57)【要約】  Ｘ線検出器における導光に関する。シンチレータの集束を提供するために、第１の層３４におけるシンチレータ装置３２、第２の層３８における導光装置３６、第３の層４２における感光センサ装置４０を有するＸ線検出器３０が設けられる。第２の層は、第１の層と第３の層との間に設けられる。シンチレータ装置は、格子構造の壁要素４６によって互いに分離されるトレンチとして配置される複数のシンチレータ要素４４を有する構造化シンチレータを有し、トレンチは一方の側からＸ線放射線を受けるように構成され、トレンチは第２の側で可視光を放射するように構成される。トレンチは、Ｘ線源が配置可能である共通の点に焦点を合わせて配置される。感光センサ装置は、シンチレータ要素によって生成される光を検出する複数のセンサ要素４８を有する。導光装置は、Ｘ線検出器装置用の導光板１０を含み、この導光板は、導光板の第１の表面１４と導光板の反対側の第２の表面１６との間に延在して配置される複数の導光要素１２を有する。第１の表面は、シンチレータによって生成される光が導光板の上に配置されるように入射するように構成され、第２の表面は、導光板に隣接して配置される感光センサ装置に向かって光が出るように構成される。導光要素は、第１の表面層から第２の表面層へ光をガイドするように構成される。さらに、第１の表面及び第２の表面は、互いに対して少なくとも部分的に傾斜して設けられる。
2020501151.tif 000002
【特許請求の範囲】
【請求項１】
Ｘ線検出器であって、
-第１の層内のシンチレータ装置と、
-第２の層内の導光装置と、
-第３の層内の感光センサ装置と
を有し、
前記第２の層は、前記第１の層と前記第３の層との間に設けられ、
前記シンチレータ装置は、格子構造内の壁要素によって互いに分離されるトレンチとして配置される複数のシンチレータ要素を備える構造化シンチレータを有し、前記トレンチは一方の側からＸ線放射線を受けるように構成され、前記トレンチは第２の側で可視光を放出するように構成され、
前記トレンチは、Ｘ線源が配置可能な共通の点に焦点合わせされるように配置され、
前記感光センサ装置は、前記シンチレータ要素によって生成される光を検出する複数のセンサ要素を有し、
前記導光装置は、Ｘ線検出器装置のための導光板を有し、前記導光板は、前記導光板の第１の表面と前記導光板の反対側の第２の表面との間に延在するように配置される複数の導光要素を有し、
前記第１の表面は、前記シンチレータによって生成される光が前記導光板の上に配置されるように入射するように構成され、前記第２の表面は、前記導光板に隣接して配置される前記感光センサ装置に向かって光を放出するように構成され、
前記導光要素は、前記第１の表面層から前記第２の表面層へ光をガイドするように構成され、
前記第１の表面と前記第２の表面とは互いに対して少なくとも部分的に傾斜して設けられる、
Ｘ線検出器。
【請求項２】
前記第２の表面は平面として構成され、前記第１の表面は凹面として構成される、請求項１に記載のＸ線検出器。
【請求項３】
前記第１の表面が焦点に位置合わせされるように配置される、請求項２に記載のＸ線検出器。
【請求項４】
複数のプレートセグメントが設けられ、前記複数のプレートセグメントはそれらの第２の表面に関してそれらの第１の表面の異なる傾斜を備える、請求項１又は２に記載のＸ線検出器。
【請求項５】
前記導光要素は、それらの端部の間で光をガイドし、伝送するように構成される光ファイバとして設けられ、
前記光ファイバは、前記ファイバ内の第１の表面から前記第２の表面にガイドされる光線にそれらの外側境界に沿って全反射を提供する、
請求項１乃至４の何れか一項に記載のＸ線検出器。
【請求項６】
前記光ファイバは、前記第１の表面から前記第２の表面まで延在する、請求項５に記載のＸ線検出器。
【請求項７】
前記第１の表面から前記第２の表面までガイドされる光線を全反射させる壁セグメントの格子状パターン内に配置される光透過性基材をさらに有する、請求項１乃至４の何れか一項に記載のＸ線検出器。
【請求項８】
前記シンチレータ要素は、前記シンチレータ装置の第１の表面から前記シンチレータ装置の第２の表面に向かう方向に線形要素として設けられる、請求項１乃至７の何れか一項に記載のＸ線検出器。
【請求項９】
前記シンチレータ要素は、前記シンチレータ装置の前記第１の表面に対して垂直に配置される、請求項１乃至８の何れか一項に記載のＸ線検出器。
【請求項１０】
Ｘ線撮像システムであって、
- Ｘ線源と、
- Ｘ線検出器と
を有し、前記Ｘ線源は、前記Ｘ線検出器によって検出可能なＸ線放射線を生成するように構成され、
前記Ｘ線検出器は、請求項１乃至９の何れか一項に記載のＸ線検出器として提供される、
Ｘ線検出器。
【請求項１１】
前記Ｘ線源の焦点は、前記導光板の前記焦点に配置される、請求項１０に記載のＸ線撮像システム。
【請求項１２】
医用Ｘ線撮像のためのＸ線放射線を検出するための方法であって、
ａ）格子構造の壁要素によって互いに分離されるトレンチとして配置される複数のシンチレータ要素を備える構造化シンチレータを有する第１の層におけるシンチレータ装置の第１の側でＸ線放射線を受けるステップであって、前記トレンチは、Ｘ線源が配置可能な共通の点に焦点合わせされるように配置され、前記Ｘ線放射線は、可視光を生成することによって少なくとも部分的に伝達される、ステップと、
ｂ）第２の側で前記シンチレータ装置によって前記可視光を放出するステップと、
ｃ）前記可視光を受け取り、前記シンチレータによって生成される光の入射のために構成される導光装置の第１の表面から、感光センサに向かう前記光の放出のために構成される第２の表面へ可視光をガイドするステップであって、前記第１の表面と前記第２の表面とは、互いに対して少なくとも部分的に傾斜して設けられる、ステップと、
ｄ）感光センサ装置によって、シンチレータ要素によって生成される前記光を検出するステップと
を有する、方法。
【発明の詳細な説明】
【技術分野】
【０００１】
本発明は、Ｘ線検出器用導光板、Ｘ線検出器、Ｘ線イメージングシステム、及び医用Ｘ線イメージング用のＸ線放射線を検出する方法に関する。
【背景技術】
【０００２】
Ｘ線イメージングにおいて、位相コントラスト及び暗視野イメージングは、例えば肺の２Ｄラジオグラフィー検査のためにますます注目されている。かなり大きな吸収格子が必要とされるので、シンチレータ自体が主にある範囲の方向のみからの入射Ｘ線を変換する格子として提供される構造化シンチレータが開発される。例えば、「硬Ｘ線回折格子干渉法のための低コスト法」（Ｙａｎｇ  Ｄｕら、２０１６年１１月；ＩＰＯ出版、Ｐｈｙｓｉｃｓ  ｏｆ  Ｍｅｄｉｃｓ  ａｎｄ  Ｍｅｄｉｃｉｎｅ  ｏｆ  Ｍｅｄｉｃｉｎｅ； Ｐｈｙｓ．Ｍｅｄ．Ｂｉｏｌ．６１（２０１６）ｐａｇｅｓ  ８２６６乃至８２７５）は構造化シンチレータを記載している。しかしながら、暗視野Ｘ線撮像において十分な信号を提供するために必要とされる高アスペクト比のシンチレータ部分は、入射光子の範囲、すなわち入射及び有効放射線の範囲を減少させる。
【発明の概要】
【発明が解決しようとする課題】
【０００３】
したがって、シンチレータの焦点を合わせることを提供する必要がある。
【課題を解決するための手段】
【０００４】
本発明の目的は、独立請求項の主題によって解決される。さらなる実施形態は従属請求項に組み込まれる。本発明の以下に説明する態様は、Ｘ線検出器用導光板、Ｘ線検出器、Ｘ線撮像システム、及び医用X線イメージングのためのＸ線放射線を検出するための方法にも適用されることに留意される。
【０００５】
本発明によれば、Ｘ線検出器が提供される。 Ｘ線検出器は、第１の層におけるシンチレータ装置と、第２の層における導光装置と、第３の層における感光センサ装置とを備える。第２の層は、第１の層と第３の層との間に設けられる。シンチレータ装置は、格子構造内の壁要素によって互いに分離されるトレンチとして配置される複数のシンチレータ要素を有する構造化シンチレータを有し、トレンチは一方の側からＸ線放射線を受けるように構成され、トレンチは第２の側で可視光を放射するように構成される。感光センサ装置は、シンチレータ要素によって生成される光を検出する複数のセンサ要素を有する。さらに、導光装置は、Ｘ線検出器装置のための導光板を有する。導光板は、導光板の第１の表面と導光板の反対側の第２の表面との間に延在するように配置される複数の導光要素を備える。第１の表面は、シンチレータによって生成される光の入射が導光板の上に配置されるように構成され、第２の表面は、前記導光板に隣接して配置されている感光センサ装置に向けて光を放出するように構成されている。導光要素は、第１の表面層から第２の表面層へ光をガイドするように構成される。さらに、第１の表面及び第２の表面は、互いに対して少なくとも部分的に傾斜して設けられている。トレンチは、Ｘ線源が配置可能である共通の点に焦点を合わせて配置されている。感光センサ装置は、シンチレータ要素によって生成される光を検出する複数のセンサ要素を有する。
【０００６】
２つの表面を互いに傾けて配置することによって、入射光子に対して所望の方向の範囲へのシンチレータの集束が提供される。これは、感度に暗黙の方向性を持つ構造化シンチレータに特に適している。
【０００７】
一例によれば、第２の表面は平面として配置され、第１の表面は凹面として構成されている。
【０００８】
凹構成は、連続的な凹形状であっても、平面部分のセクションを有する多角形であってもよい。
【０００９】
一例によれば、第１の表面は焦点にアラインするように配置される。
【００１０】
したがって、導光構造は、例えばＸ線源に焦点を合わせることができる。
【００１１】
一例によれば、複数のプレートセグメントが提供され、それらの第２の表面に関してそれらの第１の表面の異なる傾斜を備える。
【００１２】
したがって、容易な製造及び組み立てが提供される。
【００１３】
一例によれば、導光要素は、それらの端部間で光をガイドし、伝送するように構成される光ファイバとして提供される。光ファイバは、ファイバ内の第１の表面から第２の表面にガイドされる光線に対して、それらの外側境界に沿って全反射をもたらす。
【００１４】
一例によれば、導光板は、第１の表面から第２の表面にガイドされる光線を全反射する壁セグメントの格子状パターン内に配置される光透過性基材を有する。
【００１５】
本発明によれば、Ｘ線撮像システムも提供される。 Ｘ線撮像システムは、Ｘ線源とＸ線検出器とを備える。 Ｘ線源は、Ｘ線検出器によって検出可能なＸ線放射線を生成するように構成されている。 Ｘ線検出器は、上記の例のうちの１つによるＸ線検出器として提供される。
【００１６】
一例では、Ｘ線撮像システムは、位相ステッピングによるＸ線のコヒーレントな小散乱に基づく光子計数用に構成される暗視野Ｘ線撮像システムである。
【００１７】
本発明によれば、医用Ｘ線イメージングのためのＸ線放射線を検出するための方法も提供される。この方法は以下のステップ、すなわち、
【００１８】
ａ）格子構造の壁要素によって互いに分離されるトレンチとして配置される複数のシンチレータ要素を有する構造化シンチレータを有する第１の層のシンチレータ装置の第１の側でＸ線放射線を受けるステップであって、前記トレンチは、Ｘ線源が配置可能な共通の点に焦点を合わせるように配置され、前記Ｘ線放射線は、可視光を生成することによって少なくとも部分的に伝達される、ステップと、
【００１９】
ｂ）第２の側でシンチレータ装置によって可視光を放射するステップと、
【００２０】
ｃ）可視光を受け取り、シンチレータによって生成される光の入射のために構成される導光装置の第１の表面から、感光センサに向かう光の放出のために構成される第２の表面へ可視光をガイドするステップであって、前記第１の表面と前記第２の表面とは、互いに対して少なくとも部分的に傾斜して設けられる、ステップと、
【００２１】
ｄ）感光センサ装置によって、シンチレータ要素によって生成される光を検出するステップと
を有する。
【００２２】
一態様によれば、導光は、シンチレータの焦点合わせを可能にするために傾斜面を備える。したがって、シンチレータは、それぞれＸ線源に焦点を合わされている別個の部分に配置することができる。シンチレータは、垂直格子構造と共に製造することもでき、垂直格子構造を備えることもできる導光部とともに製造することができる。
【００２３】
一態様によれば、暗視野Ｘ線イメージングにおいて、２Ｄラジオグラフィー検査中の肺の暗視野イメージング及び位相コントラストを可能にすることができる。 １つのオプションは、４３０ｍｍ（ミリメートル）×４３０ｍｍのサイズで配置することができるＸ線検出器全体を覆う大きなサイズの吸収格子Ｇ２を使用することである。臨床的に適切なＸ線エネルギーで暗視野イメージングのために十分な放射線を吸収するために、 例えば１２５ｋｅＶまでの高い格子、すなわち高アスペクト比のものが必要とされる。別のオプションは、いわゆる構造化シンチレータであり、シンチレータは実際には最初の場所の所望の位置でのみ入射Ｘ線を変換する格子である。これらの構造化シンチレータは、構造化シンチレータと、例えばCMOSセンサのようなフォトダイオードアレイのような光センサのような光センサとの間の導光に関連して設けられる。導光部は、光ファイバプレートとして提供されてもよい。副効果として、光ファイバプレートでは、シンチレータに吸収されないＸ線を吸収することが可能であり、したがって、追加のノイズ及び放射線ダメージを生じさせることになるフォトダイオードアレイ内の望ましくない直接変換を回避することが可能である。一例では、構造化シンチレータは、２つの主なステップで製造することができる。第１のステップにおいて、ドライエッチングを使用して格子ネガがＳｉウェハに作製される。第２のステップにおいて、格子のトレンチはＣｓＩで埋められる。エッチングプロセスがウェハ表面に対して垂直な格子壁を格子に提供するとしても、傾斜した導光部は構造化シンチレータをＸ線源に集束させることを可能にする。導光部は、楔形の光ファイバプレートとして提供することができる。一例では、構造化シンチレータは、８０乃至１００ｍｍのサイズを有するＳｉウェハとして提供される。したがって、一例では、検出器は５×５又は４×４のタイルを有する。
【００２４】
本発明のこれら及び他の態様は、以下に記載される実施形態を参照して明らかになるであろう。
【００２５】
以下の図面を参照しながら、本発明の例示的な実施形態を以下に説明する。
【図面の簡単な説明】
【００２６】
【図１】傾斜面を有する導光板の一例の断面図である。
【図２】共通の焦点に焦点を合わせることができる凹面を有する導光板のさらなる例の断面図を示す。
【図３】平面セグメントに配置される導光板の一例の断面図を示す。
【図４】構造化シンチレータ、導光部、及びセンサを備えたＸ線検出器であって、導光部は構造化シンチレータに傾斜を与えている、Ｘ線検出器の一例の断面図を示す。
【図５】構造化シンチレータの詳細の断面図を示す。
【図６】Ｘ線検出器の他の例の断面図を示す。
【図７】Ｘ線撮像システムの一例の概略構成を示す。
【図８】肺検査内容のいくつかの幾何学的関係を示す。
【図９】医用Ｘ線撮影のためにＸ線放射線を検出するための方法の一例を示す。
【発明を実施するための形態】
【００２７】
図１は、Ｘ線検出器用の導光板１０の一例の断面図を示す。導光板１０は、導光板１０の第１の表面１４と導光板１０の反対側の第２の表面１６との間に延在するように配置される複数の導光要素１２を有する。第１の表面１４は、導光板の上部に配置されるべきシンチレータによって生成される光の入射のために構成される。光の入射は第１の矢印１８で示されている。第２の表面１６は、導光板１０に隣接して配置されるべき感光センサに向かう光の放出のために構成される。光の放出は第２の矢印２０で示されている。導光要素１２は、第１の表面１４の層から第２の表面１６へ光をガイドするように構成される。第１の表面１４と第２の表面１６とは、互いに対して少なくとも部分的に傾斜して設けられる。傾斜は角度２１で示されている。
【００２８】
導光板の第１の表面は、第１の板表面とも呼ばれる。導光板の第２の表面は、第２の板表面とも呼ばれる。
【００２９】
一例では、導光板は、格子状構造として配置される暗視野Ｘ線シンチレータ用の暗視野Ｘ線導光板として提供される。
【００３０】
一例では、図２に示すように、第２の表面１６は平面として配置され、第１の表面１４は凹面として構成される。
【００３１】
図２に示す例では、導光板１０は連続板２２として設けられる。
【００３２】
オプションとして、第１の表面１４は焦点２３にアラインされるように配置される。
【００３３】
一例では、凹面は、部分円筒面として、又は円筒の一部として形成される。したがって、凹部は一方向にのみ設けられる。したがって、第１の表面は線形焦線上に集束される。
【００３４】
例えば、第１の表面及び第２の表面は、第２の表面と平行に配置される中心部を有し、円周方向又は外部空間において、第１の表面は一方向に凹んで設けられる。
【００３５】
一例では、凹面は、Ｘ線管が配置され得る共通の焦点に焦点を合わせるように構成される。
【００３６】
一例では、第２の表面は、センサ表面の輪郭と一致するように輪郭プロファイルとして配置される。
【００３７】
導光要素は、導光体とも呼ばれる。
【００３８】
図３は、それらの第２の表面に関してそれらの第１の表面の異なる傾斜を備える複数のプレートセグメント２４を有する導光板の例を示す。基本バージョンでは、３つのプレートセグメント２４が設けられる。別のより複雑なバージョンでは、４、５、６、７、８、９、又は１０又はそれより多くのセグメントなど、３つより多くのセグメントが一方向に提供される。 １つのオプションでは、４、５、６、７、８、９又は１０又はそれより多くのセグメントなど、１乃至３又は３を超えるセグメントが他の方向に提供される。
【００３９】
一例では、共通の焦点領域に焦点を合わせるように楔形である複数のプレートセグメントが提供され、垂線又は第一の表面は共通領域にフォーカスされる。
【００４０】
一例では、導光要素は第１の表面に対して垂直に設けられる。
【００４１】
一例では、導光要素は第２の表面に対して垂直に設けられる。
【００４２】
一例では、導光要素は直線状の管状要素として提供される。
【００４３】
一例では、導光要素は互いに平行に設けられる。
【００４４】
一例では、導光要素は、Ｘ線源を配置することができる共通領域又は共通焦点に集束するように互いに傾斜して設けられる。
【００４５】
側面及び表面に関する用語「第１」及び「第２」は通常、主放射方向に関する。
【００４６】
さらに図示されていない例では、導光要素は、それらの端部の間で光をガイドし、伝送するように構成される光ファイバとして提供される。光ファイバは、ファイバ内の第１の表面から第２の表面にガイドされる光線に対して、それらの外側境界に沿って全反射をもたらす。
【００４７】
一例では、光ファイバは第１の表面１４から第２の表面１６まで延在する。導光板は光ファイバオプティカルプレートとも呼ばれる。
【００４８】
図示されていない別の例では、導光板は、第１の表面から第２の表面にガイドされる光線を全反射させる壁セグメントの格子状パターン内に配置される光透過性基材を有する。
【００４９】
一例では、光透過性基材は第１の表面１４から第２の表面１６まで延在する。導光板は光学板とも呼ばれる。
【００５０】
一例では、基材は第１の表面から第２の表面まで延在する。
【００５１】
壁セグメント間の透過性基材は、このように導光要素を提供する。
【００５２】
図４は、Ｘ線検出器３０の一例を示す。Ｘ線検出器３０は、第１の層３４内にシンチレータ装置３２を備え、第２の層３８内に導光装置３６を備え、第２の層は、第１の層と第３の層との間に設けられる。
【００５３】
図５に示されるように、シンチレータ装置は、格子構造４７内の壁要素４６によって互いに分離されるトレンチとして配置される複数のシンチレータ要素４４を有する構造化シンチレータを備える。トレンチは、一方の側からＸ線放射線を受け取り、第二の側で可視光を放射するように構成されている。一例として、格子構造４７は、３０μｍ（マイクロメートル）の周期Ｐ及び３００μｍの高さＨを有する。格子構造４７は、以下の開き角Ａを有する。
【００５４】
30  μm/300  μm  =  100  mrad（ミリラジアン）=  5.7°
【００５５】
図４に戻って参照すると、感光センサ装置は、シンチレータ要素によって生成される光を検出する複数のセンサ要素４８を有する。好ましい例では、センサ要素は図に示されているファイバよりも大きい。導光装置は、上述の例のうちの１つによる導光板を備える。
【００５６】
トレンチは、底面を有するトレンチとして構成することができる。トレンチは、構造材料によって提供される底面なしに、グリッド内の溝又は間隙としても構成され得る。得られるシンチレータ要素が光生成の観点から互いに分離される棒状要素である限り、基材は異なる形状になり得る。
【００５７】
一例では、格子構造は、シンチレータ材料、すなわちＸ線での放射の際、可視光を生成する材料、例えばＣｓＩを充填される溝がその間に形成されるバーを備える格子状構造として提供される。
【００５８】
格子構造は、Ｓｉ格子テンプレートとして提供されてもよい。
【００５９】
シンチレータ要素によって生成される光はセンサ要素に向かってガイドされる。
【００６０】
一例では、シンチレータ要素の数は、導光装置の導光要素の数にアラインされる態様で設けられる。
【００６１】
第１の層のシンチレータ装置は第２の層の導光装置に隣接して配置され、第２の層の導光装置は、第３の層の感光センサ装置に隣接して配置される。
【００６２】
したがって、第１の遷移層が第１の層と第２の層との間に設けられ、第２の遷移層が第２の層と第３の層との間に設けられる。
【００６３】
第１の層が第２の層の導光装置に当接している側とは反対側の第１の層のシンチレータ装置の側、すなわち第１遷移層とは反対の側は、Ｘ線放射線入射側又は衝突側として構成され、Ｘ線源に対向するように設けられる。第１の層が第２の層の導光装置に当接している第１の層のシンチレータ装置の側、すなわちＸ線放射線入射側とは反対の側は、一次光放出側として構成される。
【００６４】
第１の層のシンチレータ装置に隣接する第２の層の導光装置の側は、光入射側として構成される。第３の層の感光センサ装置に隣接する第２の層の導光装置の側、すなわち光入射側と反対側の側は、光放出側又は光放射側として構成される。
【００６５】
第２の層の導光装置に隣接する第３の層の感光センサ装置の側は光入射側として構成される。
【００６６】
傾斜導光板上にシンチレータを配置することにより、Ｘ線源に焦点を合わせるようにシンチレータ格子を配置することができる。
【００６７】
一例では、４３０ミリメートル×４３０ミリメートルの検出器領域が提供される。例えば、Ｘ線源は約１００ミリラジアンのファン角を有する扇形ビームを提供する。
【００６８】
図６は、シンチレータ装置３２、導光装置３６及び感光センサ装置４０を有するＸ線検出器３０の一例を示す。シンチレータ装置３２は複数のセグメントを有する。導光装置３６も複数のセグメントを有する。オプションとして、セグメントの数は一致している。別のオプションでは、シンチレータ装置３２のセグメントの数は、導光装置３６の１つのセグメント上に配置されるシンチレータの２つのセグメントのように、ｎ倍高い。
【００６９】
感光センサ装置４０、すなわちセンサは、１つのセンサ又は複数のセンサセグメントとして配置することができる。
【００７０】
一オプションでは、個々のシンチレータ要素の数は、導光要素の数と一致している。
【００７１】
他のオプションでは、個々のシンチレータ要素の数は、導光要素の数のｎ倍である。
【００７２】
さらなるオプションでは、個々の導光要素の数はシンチレータ要素の数のｎ倍である。
【００７３】
さらに別のオプションでは、要素の数は一致せず、偶数のn倍ではない。
【００７４】
シンチレータは光学的特性に関して格子又は少なくとも格子状構造として配置されるので、より高い要求を満たすアライメントが提供される。
【００７５】
一例では、シンチレータのトレンチは、Ｘ線源が配置可能である共通の点に焦点を合わせて配置される。一例として、トレンチはそれぞれの隣接する導光要素と平行に配置される。例えば、トレンチは、導光板のそれぞれのセグメントが集束する軸に平行に配置される。例えば、シンチレータ要素は、シンチレータ装置の第１の表面からシンチレータ装置の第２の表面に向かう方向に線形要素として設けられる。
【００７６】
シンチレータ装置の第１の表面は、第１のシンチレータ表面とも呼ばれる。シンチレータ装置の第２の表面は、第２のシンチレータ表面とも呼ばれる。別の例では、シンチレータ要素はシンチレータ装置の第１の表面に対して垂直に配置される。
【００７７】
一例では、シンチレータ装置の第１及び第２の表面は互いに平行であり、シンチレータ要素はシンチレータ装置の第２の表面に対しても垂直に配置される。
【００７８】
図７は、Ｘ線撮像システム５０の概略構成を示す。Ｘ線撮像システム５０は、Ｘ線源５２とＸ線検出器５４とを備える。Ｘ線源５２は、Ｘ線検出器５４によって検出可能なＸ線放射線を発生するように構成されている。Ｘ線検出器５４は、上記の例のうちの１つによるＸ線検出器として提供される。
【００７９】
Ｘ線検出器は、Ｘ線が最初に可視光に変換され、次いで可視光が検出される受動的又は間接的検出器として提供される。
【００８０】
一オプションでは、Ｘ線源の焦点が導光板の焦点に配置される。
【００８１】
図８は、肺検査用のＸ線撮像装置の幾何学的構成を示す。 Ｘ線源６０が設けられ、Ｇ０とも呼ばれる線源格子６２、及びＧ１とも呼ばれる第２の格子６４に後続される。第３の格子６６、すなわち格子Ｇ２は検出器面６８の前に配置される。一例では、Ｇ２は上述の構造化シンチレータの形で設けられる。患者７０がＧ１とＧ２の間に配置される。光源６０と検出器面６８との間の距離ＳＩＤは２０００ｍｍになるように設けられる。検出器は４３０ｍｍのサイズＳを有することができる。その結果、システムのコーン角とファン角は次のようになる。
【００８２】
430：（2  x  2000）=  108  mrad
【００８３】
図９は、医用Ｘ線撮像用のＸ線放射線を検出するための方法１００の一例を示す。方法１００は以下のステップを有する。
【００８４】
ステップａ）とも呼ばれる第１のステップ１０２において、Ｘ線放射線は、格子構造内の壁要素によって互いに分離されるトレンチとして配置される複数のシンチレータ要素を備える構造化シンチレータを有する第１の層内のシンチレータ装置で受け取られる。Ｘ線放射線は、可視光を生成させることによって少なくとも部分的に伝達される。ステップｂ）とも呼ばれる第２のステップ１０４において、可視光は第２の側でシンチレータ装置によって放射される。ステップｃ）とも呼ばれる第３のステップ１０６において、可視光は受光され、シンチレータによって生成される光を入射するように構成される第１の表面から光を感光センサに向けて放出するように構成される第２の表面にガイドされる。第１の表面と第２の表面とは、互いに少なくとも部分的に傾斜して設けられる。ステップｄ）とも呼ばれる第４のステップ１０８において、シンチレータ要素によって生成される光は、感光センサ装置によって検出される。
【００８５】
本発明の実施形態は、異なる主題を参照して説明されることに留意しなければならない。特に、いくつかの実施形態は方法タイプの請求項を参照して説明されるが、他の実施形態はデバイスタイプの請求項を参照して説明される。しかしながら、当業者は、特に断らない限り、１つのタイプの主題に属する特徴の任意の組み合わせに加えて、異なる主題に関連する特徴間の任意の組み合わせも考慮されるという上記及び以下の説明から集まるであろう。本願と共に開示される。ただし、すべての機能を組み合わせて、機能の単純な合計以上の相乗効果を得ることができる。
【００８６】
本発明を図面及び前述の説明において詳細に図示及び説明してきたが、そのような図示及び説明は例示的又は例証的であり、限定的ではないと見なされるべきである。本発明は開示される実施形態に限定されない。開示される実施形態に対する他の変形は、図面、開示、及び従属請求項の検討から、請求される発明を実施する際に当業者によって理解され達成され得る。
【００８７】
請求項において、単語「有する」は他の要素又はステップを排除するものではなく、不定冠詞「ａ」又は「ａｎ」は複数を排除するものではない。単一のプロセッサ又は他のユニットが特許請求の範囲に再引用されるいくつかの項目の機能を果たすことができる。特定の手段が相互に異なる従属請求項に再引用されるという単なる事実は、これらの手段の組み合わせが有利に使用されることができないことを示すものではない。請求項中の如何なる参照符号も範囲を限定するものとして解釈されるべきではない。
【図１】
2020501151.tif 000003
【図２】
2020501151.tif 000004
【図３】
2020501151.tif 000005
【図４】
2020501151.tif 000006
【図５】
2020501151.tif 000007
【図６】
2020501151.tif 000008
【図７】
2020501151.tif 000009
【図８】
2020501151.tif 000010
【図９】
2020501151.tif 000011
【国際調査報告】
2020501151.tif 000012
2020501151.tif 000013
2020501151.tif 000014